(57)【要約】【課題】筐体の外側から止められるビスと電源部とを遮蔽する構造を有した電源部絶縁用樹脂部材を提供することである。【解決手段】絶縁対策のため電源部の一部を覆う電源部絶縁用樹脂部材５０において、筐体３０の外側から止められるビス３５と電源部とを遮蔽する位置に、金型で一体成形されるリブ５４を設け、該リブは略コ字型であり、ビス３５とリブ５４のビス３５から最も遠い部分との距離がビス３５の直径の１０倍以下である構成とする。【選択図】図２
2013037741.tif 000002
【特許請求の範囲】
【請求項１】
絶縁対策のため電源部の一部を覆う電源部絶縁用樹脂部材において、
筐体の外側から止められるビスと電源部とを遮蔽する位置に、金型で一体成形されるリブを設けたことを特徴とする電源部絶縁用樹脂部材。
【請求項２】
前記リブが略コ字型であることを特徴とする請求項１記載の電源部絶縁用樹脂部材。
【請求項３】
前記ビスと前記リブの前記ビスから最も遠い部分との距離が、前記ビスの直径の１０倍以下であることを特徴とする請求項１又は２記載の電源部絶縁用樹脂部材。
【請求項４】
請求項１〜３の何れかに記載の電源部絶縁用樹脂部材と、前記ビスを固定する金属製の筐体と、電源部を搭載した回路基板とを備えた記録媒体再生装置。
【発明の詳細な説明】
【技術分野】
【０００１】
本発明は、絶縁対策のための電源部絶縁用樹脂部材及びそれを備えた記録媒体再生装置に関する。
【背景技術】
【０００２】
一般的に、電気機器の筐体を組み立てる際にはビスを用いることが多く、ＤＶＤやＢＤ（Blu-ray Disc）等の光ディスクを再生する光ディスクプレーヤーなどの記録媒体再生装置においても同じである。ここで、作業性の観点からビスは筐体の外側から止められることが多いが、安全性の観点から電源付近にビスが近づかないように設計される。そのために、例えば特許文献１のような構成が提案されている。
【０００３】
特許文献１には、電子部品が装着された回路基板を絶縁樹脂で形成した筐体の内部に収容し、アース端子用ビスを該筐体の外側から内部に差し込んで筐体にねじ止め固定するアース端子用ビスの取付構造において、上記アース端子用ビスを挿入する筐体のビス受け孔と相対応させて、筐体の内側面には回路基板と相対する隔壁部を有する仕切壁を回路基板との間隔内で筐体に一体に絶縁樹脂で形成し、上記筐体の外側からねじ込まれるアース端子用ビスの軸端側を回路基板から仕切壁の隔壁部で離隔位置してなる構成が開示されている。
【０００４】
また、電気機器の筐体にビス止めを用いる例として特許文献２のような構成も提案されている。
【０００５】
特許文献２には、外側にシールド板が配備された機器筐体の内側に配線基板が配備されており、上記シールド板と機器筐体とに形成されたスリットに挿通されて筐体の内側に突出されたアース金具の一端部が上記配線基板のアースパターンに接続されているとともに、上記シールド板の外側に露出している上記アース金具の他端部がそのシールド板に接続されて構成される電子機器のアース金具取付構造が開示されている。
【０００６】
さらに、この取付構造において、機器筐体側の上記スリットが、機器筐体の側壁に形成されており、機器筐体の底壁と上記アース金具の一端部との間の隙間空間に上記配線基板が配備されていることが開示されている。
【０００７】
そして、上記機器筐体の側壁の外面に上記シールド板が重なり合っているとともに、そのシールド板の上記機器筐体の側壁との重なり箇所の外面に、上記アース金具の他端部に曲成された取付片部が重なり合ってそのシールド板の上記重なり箇所に接続されていることが開示されている。そして、上記取付片部が上記シールド板の上記機器筐体の側壁との重なり箇所にビス止めされていることが開示されている。
【先行技術文献】
【特許文献】
【０００８】
【特許文献１】実公平７−３５３４４号公報
【特許文献２】特開２００２−４２９１４号公報
【発明の概要】
【発明が解決しようとする課題】
【０００９】
このような現状で、電気機器の筐体において電源付近にビスが近づかないように設計する場合、特許文献１のように、筐体の外側から止められるビスの先端を樹脂部材で回路基板と遮蔽することが有効である。
【００１０】
しかしながら、特許文献１の仕切壁を筐体と樹脂で一体成形することは、仕切壁の形状から見て困難である。また、特許文献２ではビスと電源部との位置関係については記載されていない。そこで、電気機器の筐体の外側からビス止めする場合に、電源部と遮蔽するための実現可能で安価な構成が求められる。
【００１１】
本発明は、筐体の外側から止められるビスと電源部とを遮蔽する構造を有した電源部絶縁用樹脂部材を提供することを目的とする。また、その電源部絶縁用樹脂部材を備えた記録媒体再生装置を提供することも目的とする。
【課題を解決するための手段】
【００１２】
上記目的を達成するために本発明は、絶縁対策のため電源部の一部を覆う電源部絶縁用樹脂部材において、筐体の外側から止められるビスと電源部とを遮蔽する位置に、金型で一体成形されるリブを設けたことを特徴とする。
【００１３】
この構成によれば、リブによって、ビスと電源部とが短絡することを防止することができる。
【００１４】
上記の電源部絶縁用樹脂部材において、前記リブが略コ字型であることが好ましい。この場合、細いリブでも強度を確保することができる。
【００１５】
また上記の電源部絶縁用樹脂部材において、前記ビスと前記リブの前記ビスから最も遠い部分との距離が、前記ビスの直径の１０倍以下であることが好ましい。この場合、ビスからより近い位置に電源部を配置でき、さらなる装置内の省スペース化、すなわち製品の小型化を実現することができる。
【００１６】
また本発明は、上記の何れかに記載の電源部絶縁用樹脂部材と、前記ビスを固定する金属製の筐体と、電源部を搭載した回路基板とを備えた記録媒体再生装置とする。
【発明の効果】
【００１７】
本発明によると、リブによって筐体の外側から止められるビスと電源部とが短絡することを防止できるので、ビスから近い位置に電源部を配置でき、装置内の省スペース化、すなわち製品の小型化を実現することができる。
【図面の簡単な説明】
【００１８】
【図１】本発明の一実施形態であるＨＤＤ一体型光ディスク装置の構成及びその周辺機器を示すブロック図である。
【図２】本発明の一実施形態であるＨＤＤ一体型光ディスク装置の内部構造の一部を示す部分斜視図である。
【図３】本発明の一実施形態であるＨＤＤ一体型光ディスク装置の内部構造の一部を示す部分斜視図である。
【図４】本発明の一実施形態であるＨＤＤ一体型光ディスク装置の内部構造の一部を示す平面断面図である。
【図５】本発明の一実施形態である電源部絶縁用樹脂部材の斜視図である。
【発明を実施するための形態】
【００１９】
以下、本発明の記録媒体再生装置の一例として、録画再生装置であるハードディスクドライブ（ＨＤＤ）一体型光ディスク装置を用いて説明する。
【００２０】
図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の録画再生装置に代表される外部装置１２とが接続されている。本ＨＤＤ一体型光ディスク装置１０はＢＤ（Blu-ray Disc）及びＤＶＤの録画／再生に対応している。またＨＤＤ一体型光ディスク装置１０は、リモコン１３によって操作可能である。
【００２１】
ＨＤＤ一体型光ディスク装置１０は、チューナ１６と、映像／音声圧縮伸長部１７と、ＨＤＤ記録再生部１８と、ＢＤ／ＤＶＤ記録再生部１９と、ＯＳＤ（On Screen Display）部２０と、映像出力部２１と、音声出力部２２と、メモリ２３と、リモコン受信部２４と、外部Ｉ／Ｆ２５と、制御部２６とを備えている。
【００２２】
チューナ１６は、アンテナ１５で受信したデジタルテレビ放送信号を復調、デジタル化する。映像／音声圧縮伸長部１７は、チューナ１６や外部装置１２から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする。
【００２３】
ＨＤＤ記録再生部１８は、映像／音声圧縮伸長部１７から受け取った圧縮された映像／音声データをＨＤＤに記録したり、ＨＤＤに記録されたデータを再生したりする。ＢＤ／ＤＶＤ記録再生部１９は、映像／音声圧縮伸長部１７から受け取った圧縮された映像／音声データを挿入されたＤＶＤ又はＢＤに記録したり、ＤＶＤ又はＢＤに記録されたデータを再生したりする。
【００２４】
ＯＳＤ部２０は、各種設定値を表示装置１１の一部に表示しながら設定できるようにする。映像出力部２１は、ＯＳＤ部２０からの映像信号をアナログ化し、表示装置１１へ出力する。音声出力部２２は、映像／音声圧縮伸長部１７からの音声信号をアナログ化し、表示装置へ出力する。
【００２５】
メモリ２３は、ＲＯＭやＲＡＭからなり、各種プログラムや各種データ等を記憶する。リモコン受信部２４は、赤外線受光部等からなり、リモコン１３からの信号を受信する。外部Ｉ／Ｆ２５は、外部装置１２が接続される外部入力端子等からなる。制御部２６は、マイクロプロセッサ等からなり、ＨＤＤ一体型光ディスク装置１０の各部を制御する。
【００２６】
図２及び図３は、ＨＤＤ一体型光ディスク装置１０の内部構造の一部を示す部分斜視図である。図４は、ＨＤＤ一体型光ディスク装置１０の内部構造の一部を示す平面断面図である。図５は、電源部絶縁用樹脂部材の斜視図である。
【００２７】
図２〜図４では、筐体３０と、電源部を搭載した回路基板４０と、絶縁対策のため電源部の一部を覆う電源部絶縁用樹脂部材５０とが組み立てられた状態を示している。
【００２８】
筐体３０は、ＨＤＤ一体型光ディスク装置１０の各種部材を搭載するボトムシャーシとしての役割もあり、鉄等の金属製であって、板金部材を曲げ加工、絞り加工、パンチ等によって成形したものである。筐体３０の背面には、筐体３０の側面３１の端が背面側に折り曲げられて形成された片部３２が位置している。片部３２には孔が形成されている。この孔はリアパネル（不図示）をビス止めするために用いられ、この孔とリアパネルの孔とが重ねられた状態で筐体３０の外側からビス３５で係止される。
【００２９】
回路基板４０は、メモリ２３、制御部２６、電源部等の部材を搭載した基板である。回路基板４０は筐体３０との間に電源部絶縁用樹脂部材５０の底面を挟んだ状態で筐体３０にビス止めされる。上述したビス３５付近の回路基板４０上には電源部の一部材であるヒューズ（不図示）が配設される。このヒューズは回路基板４０上に固定された一対の固定部材４１によって挟持される。
【００３０】
電源部絶縁用樹脂部材５０は、回路基板４０の電源部と金属製の筐体とを絶縁する樹脂部材である。電源部絶縁用樹脂部材５０は、回路基板４０の底面と筐体３０の底面とに挟まれる底面部５１と、筐体３０の側面に沿う側面部５２と、回路基板４０の一部の上方を覆う上面部５３とを有する。そして、底面部５１が回路基板４０の底面と筐体３０の底面とで挟持されることで固定される。
【００３１】
そして、側面部５２の内側には、電源部絶縁用樹脂部材５０を成型する金型で一体成形されるリブ５４が、ビス３５と電源部（ここではヒューズ）とを遮蔽する位置に設けられている。このリブ５４は絶縁対策として、ビス３５と電源部とが短絡することを防止するために設けられる。
【００３２】
リブ５４は略コ字型であり、ビスの進入方向に垂直な平面であってビス３５から最も近い位置に対向配置された第１面５４ａと、第１面５４ａに繋がり、ビス３５の進入方向に平行な平面（第１面５４ａに垂直な平面）であってビス３５の軸の延長線上に配置された第２面５４ｂと、第２面５４ｂに繋がり、ビス３５の進入方向に垂直な平面（第１面５４ａに平行な平面）であって第１面５４ａより短く、ビス３５から最も遠い位置に対向配置された第３面５４ｃとで形成されている。
【００３３】
ビス３５の軸の延長線上に第２面５４ｂが配置されているのは、万一、ビス３５がリブ５４に接触したとき、その応力に耐えられるようにするためである。また、ビス３５が設計位置からずれてリブ５４に接触する可能性も考慮して第１面５４ａを第２面５４ｂの両側に延設している。また、金型の抜きでヒケができないように、リブ５４は細く設計する必要があるので、強度を確保ために略コ字型にしている。したがって、リブ５４の形状は強度を確保できれば特に限定はなく、Ｉ字型、Ｌ字型、Ｔ字型、Ｕ字型などでもよい。
【００３４】
また、ビス３５の先端とリブ５４のビス３５から最も遠い部分である第３面５４ｃとの距離は、ビス３５の直径の１０倍以下であることが好ましい。製品の安全基準上、外部から係止されるビスと電源部との距離がビスの直径の１０倍以上必要とされるが、そのビスと電源部との間に遮蔽物を設ければ、前記１０倍という基準は適用されない。
【００３５】
したがって、上記のような距離内にリブ５４を設けることで、ビス３５から近い位置に電源部を配置でき、リブ５４がない場合よりも装置内の省スペース化、すなわち製品の小型化を実現することができる。
【００３６】
例えば、直径３ｍｍ、長さ６ｍｍのビス３５を用いる場合、リブ５４は、第１面５４ａが電源部絶縁用樹脂部材５０の端から６ｍｍの場所になるように設け、第１面５４ａの外側から第３面５４ｃの外側までの長さを１２ｍｍとすることができる。１２ｍｍという長さはリブ５４の強度を確保するための長さであり、ビス３５の直径の１０倍である３０ｍｍより短い。
【００３７】
また、リブ５４の高さは、少なくともビス３５と電源部とを遮蔽できる高さであればよく、本実施形態では第１面５４ａの高さがビス３５と電源部とを遮蔽できる高さであれば、第２面５４ｂ及び第３面５４ｃは第１面５４ａの高さよりも低くても問題はない。
【００３８】
本発明のリブは、上述した位置以外でもビスと電源部とが近い場所に適宜設けることができる。
【産業上の利用可能性】
【００３９】
本発明は各種電気機器に利用でき、特に、光ディスク装置等の再生装置や録画再生装置、ハードディスク装置等の録画再生装置に有効に利用することができる。また、セットトップボックスや、複数の再生部又は記録再生部を１つの筐体に組み込んだ複合機、例えばＨＤＤ一体型光ディスク装置等にも利用することができる。また、１つ以上の再生部又は記録再生部を組み込んだテレビ受像機にも利用することができる。
【符号の説明】
【００４０】
１０  ＨＤＤ一体型光ディスク装置（記録媒体再生装置）
１１  表示装置
１２  外部装置
１３  リモコン
１５  アンテナ
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  外部Ｉ／Ｆ
２６  制御部
３０  筐体
３１  側面
３２  片部
３５  ビス
４０  回路基板
４１  固定部材
５０  電源部絶縁用樹脂部材
５１  底面部
５２  側面部
５３  上面部
５４  リブ
５４ａ  第１面
５４ｂ  第２面
５４ｃ  第３面
【図１】
2013037741.tif 000003
【図２】
2013037741.tif 000004
【図３】
2013037741.tif 000005
【図４】
2013037741.tif 000006
【図５】
2013037741.tif 000007